(57)【要約】 本発明は互いに対して移動可能な複数の締付顎部(20)と、隣接する締付顎部(20)の互いに対向する側面の1つに設けられた少なくとも1つの凹部(22)と、各凹部(22)に挿入され、隣接する締付顎部(20)を互いに対して弾性的に支持するばねとを備え、隣接する締付顎部(20)の2つの側面間のギャップをシールするシール(30)によって特徴付けられ、前記シールは少なくとも1つの凹部(22)に係合する締結部(32)を有するコレット(10)に関する。
2020534174.tif 000002
【特許請求の範囲】
【請求項１】
- 互いに対して移動可能な複数の締付顎部(20)と、
- 隣接する締付顎部(20)の互いに対面する側面の1つに設けられた少なくとも1つの凹部(22)、及び
- いずれの場合も、隣接する締付顎部(20)を互いに対して弾性的に負荷する凹部(22)に挿入されたばねを、含む、コレット(10)であって、以下の特徴を有すコレット；
シール(30)は隣接する締付顎部(20)の2つの側面の間の間隙を密封し、シールは、少なくとも1つの凹部(22)に係合する締結部(32)を有する。
【請求項２】
前記締結部(32)は、前記ばねを収容する中空円筒として設計されていることを特徴とする請求項１に記載のコレット(10)。
【請求項３】
前記締結部(32)は、ばねとして設計されていることを特徴とする請求項１に記載のコレット(10)。
【請求項４】
前記締結部(32)は、弾性円筒として設計されていることを特徴とする請求項１または３に記載のコレット(10)。
【請求項５】
シール(30)の外縁が、締付顎部(20)の側面の外形に対応することを特徴とする請求項１〜４のいずれか一に記載のコレット(10)。
【請求項６】
シール(30)が、隣接する締付顎部(20)の両側面の間のギャップを完全に埋めることを特徴とする請求項１〜５のいずれか一に記載のコレット(10)。
【請求項７】
シール(30)は、シール(30)の平面から伸びるシールリップ(34)含むことを特徴とする請求項１〜６のいずれか一に記載のコレット(10)。
【請求項８】
シールリップ(34)が、シール(30)の縁部に配置されていることを特徴とする請求項７に記載のコレット(10)。
【請求項９】
シール(30)が、締付顎部(20)間のギャップ平面に関して鏡面対称であることを特徴とする請求項１〜８のいずれか一に記載のコレット(10)。
【請求項１０】
3つの締付顎部(20a、20b、20c)を特徴とする、請求項１〜９のいずれか一に記載のコレット(10)。
【発明の詳細な説明】
【技術分野】
【０００１】
本発明は、ガイドクランプ又はコレットに関する。
特に、本発明は、互いに対して可動である複数の締付顎部と、隣接する締付顎部の互いに対向する側面の1つに設けられた少なくとも1つの凹部と、それぞれの場合において、隣接する締付顎部を互いに対して弾性的に負荷する凹部に挿入されたばねとを有するコレットに関する。
【背景技術】
【０００２】
この種のコレットは例えば、DE 20 2013 010 357 U1、DE 10 2014 018 695 B4、DE 93 20 515 U1およびDE 19 07 956 B2から知られている。
【０００３】
全ての公知のコレットに関する問題は、工作物の機械加工中に、チップが特定のコレットのギャップ及び接触面に入り込む可能性があることである。これは、締付顎部の移動の自由度を阻止し、ワークピースの不十分な同心性及び変化した整列を阻止し、コレットの摩耗を増加させ、クランプ力を減少させることによって機能的な制約をもたらす。
【０００４】
この問題は、これらの機械の機械加工がコレットのすぐ近くで行われるので、長手方向の旋削機械において特によく見られる。特に深刻な問題は、狭いギャップ、アンダーカット、ブラインドホール等に堆積し沈降する非常に微細なチップの製造である。
【先行技術文献】
【特許文献】
【０００５】
【特許文献１】DE 20 2013 010 357 U1、
【特許文献２】DE 10 2014 018 695 B4、
【特許文献３】DE 93 20 515 U1
【特許文献４】DE 19 07 956 B2
【発明の概要】
【発明が解決しようとする課題】
【０００６】
したがって、本発明の目的は、特に長手方向の旋削機械において生じる状況および切屑の影響にもかかわらず、その機能性を保持するコレットを製造することである。
【課題を解決するための手段】
【０００７】
この目的は本発明によれば、請求項1の特徴を有するコレットによって達成される。従属請求項は、本発明の有利な実施形態を記載する。
【０００８】
本発明の基本概念は2つの隣接する締付顎部によって形成される各ギャップにシールを導入することであり、このギャップはコレットに固定するために、ばねを受けるために締付顎部にあらかじめ設けられた凹部を使用する。シールは、特に弾性材料で作られる。この場合、本発明のばねの機能は、シールが凹部内に係合するにもかかわらず、中空円筒として、損なわれることなくばねを収容するので、損なわれないままである。特に好ましい実施形態によれば、締結部は凹部に挿入されるばねまたは弾性円筒として設計されるので、シールは、ばねに取って代わることさえある。
【０００９】
したがって、本発明によれば、互いに対して移動可能な複数の締付顎部と、隣接する締付顎部の互いに対向する側面のうちの1つに設けられた少なくとも1つの凹部と、それぞれの場合において、隣接する締付顎部を互いに対して弾性的に荷重する凹部に挿入されたばねと、それぞれの場合において、隣接する締付顎部の2つの側面間のギャップをシールするシールとを有するコレットが提供され、前記シールは、それぞれの場合において、側面の少なくとも1つの凹部に係合する締結部を有する。
【００１０】
シールの締結部は、好ましくはばねを収容する中空円筒として設計される。この実施形態は、特に簡単な方法で、さらなる適合を必要とすることなく、既存の締付顎部にシールを改造することを可能にする。既存のばねは、シールの中空円筒として設計された締結部に単に挿入され、シールによって妨害されることなくその機能を果たすことができる。
【００１１】
代替的に、好ましくは、締結部自体がばねとして設計される場合があり得る。したがって、既存の締付顎部を改造する場合、これは、シールと一体に形成された締結部がばねとして設計されているので、既存のばねを、本発明による好ましく設計されたシールと交換できることを意味する。
【００１２】
他方、締結部が弾性円筒として設計される場合、単純であるが非常に有利な実施形態が達成される。この締結部は、従来設けられている締付顎部の凹部に容易に挿入することができる。弾性円筒は、一つの締付顎部又は隣接する締付顎部におけるシールの締め付け要素の機能を引き受け、また、その弾性により、締付顎部を互いに対して弾性的に負荷するばね要素の機能を引き受ける。
【００１３】
弾性円筒は、該円筒から放射状に延在し、円筒を、したがってシールを、締付顎部の凹部に固定するために使用される、1つまたは複数の(弾性)構造を含むことができる。これらの構造は、凹部の壁に当接して凹部内に載置される。例えば、これらの構造は、円形円筒において、円形円筒の表面から延在するリングとして設計されてもよい。
【００１４】
シールの外側輪郭は好ましくは締付顎部の側面の外側輪郭に対応し、機械加工中に生じる切り屑が締付顎部間のギャップに入ることができないようにする。
【００１５】
より好ましくは、シールが隣接する締付顎部の2つの側面間のギャップを完全に満たす。この好ましい実施形態によれば、厳しい公差を維持しながら、シールを非常に容易に製造することができる。さらに、シールが表面全体にわたって設計される場合、使用中に生じる力の均一な分布に関して、表面全体にわたるシールの一体的構成要素としての締結部の接続も有利である。
【００１６】
あるいは、シールの外側輪郭が、連結部の手段によって、締結部に連結されることもできる。この実施形態は、ギャップをシールするために必要とされるように、少量の材料のみが締付顎部の間に挿入されることが必要があり、そして、ジョーが互いに対して相対的に移動する場合に克服される必要がないという利点を有する。
【００１７】
これは、シールがシールの平面から延びるシールリップを含む場合に特に有利である。シールリップは、特に好ましくはシールの縁部に配置され、特にシールの外側輪郭をたどる。
【００１８】
締結部および/またはシールリップは、特にシールの平面の両側に延在し、その結果、シールは、特に好ましくは締付顎部間のギャップ平面に関して鏡面対称である。
したがって、シールが2つの対向する締結部を備える場合、前記締結部は、隣接する締付顎部の対向する側面の対向する凹部に係合するか、または挿入される。したがって、シールの両側に延在するシールリップは、隣接する締付顎部の対向する側面上に支持される。
【００１９】
本発明によるコレットは、好ましくは3つの締付顎部を含む。
【００２０】
最後に、シールは、特に、エラストマー材料で作られ、特に、射出成形または3D印刷によって製造されることが有利である。
【００２１】
本発明は、添付の図面に非常に概略的に示される特に好ましい実施形態を参照して、以下により詳細に説明される: 
【図面の簡単な説明】
【００２２】
【図１】図1は、本発明によるコレットの特に好ましい設計の斜視図である;
【図２】図2は、図1のコレットの概略側面図である
【図３】図3は、断面図(A)および平面図(B)において、先に示されたコレットにおいて使用するためのシールの特に好ましい設計を示す。
【発明を実施するための形態】
【００２３】
図1は、例として、本発明による引張クランプ、例えば二重コーンクランプの特に好ましい設計の斜視図である。本発明はこの特定の種類のコレットを参照してより詳細に説明されるが、本発明は原則として、任意の種類のコレットまたはガイドクランプに適している。コレットを一緒に保持する要素は明確にするために示されていないが、この目的のために、締付顎部は互いに対して移動可能でなければならないが、完全には離れてはならないことは言うまでもない。
【００２４】
図示のコレット10は、互いに対して移動可能な複数の、すなわち3つの締付顎部20を含む。隣接する締付顎部20の2つの側面の間に形成された間隙である締付顎部20の各々の間に形成された間隙は、いずれの場合もシール30によって全ての側面がシールされており、したがって、機械加工中に生成された切屑が間隙に入ることはない。
【００２５】
シール30は図2に示すように、隣接する締付顎部20の側面に配置された凹部22に係合する締結部32によってコレット10に締結される。
【００２６】
図示の例では、締結部32が特に、少なくともその長手方向軸線の方向に弾性であり、したがってばね荷重特性を有する円筒として設計されている。したがって、この特に好ましい実施形態では、締結部32が先行技術に従って従来から使用されているねじばねに取って代わる。
【００２７】
最後に、図3は、シール30の特に好ましい設計を断面図(A)および平面図(B)で示す。シールは、特に、締付顎部20間のギャップ平面に関して鏡面対称であり、ギャップ平面の両側またはシール30の両側に延在するシールリップ34を有する。
【００２８】
シールリップ34は、特にシール30の周りに延在する。追加のシールリップ(図示せず)を、シールリップ34によって占められる円周内に配置することができ、この追加のシールリップは、シールリップ34を通過した切り屑が締付顎部の凹部22内に侵入するのを任意に防止することができる。この目的のために、締結部32は特に、その円筒形部分を保護する追加の密封リップによって取り囲まれることができる。
【００２９】
本発明は、既存のコレットが、ねじばねを有していようと板ばねを有していようと、それらの締付顎部がばねを固定するための凹部を有していようと、既存のコレットを改造するのに特に適している。加えて、本発明は、勿論、本発明による新しいコレットを製造するのにも適している。
【符号の説明】
【００３０】
１０：コレット
２０：締付顎部
２２：凹部
３０：シール
３２：締結部
【図１】
2020534174.tif 000003
【図２】
2020534174.tif 000004
【図３】
2020534174.tif 000005
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
- 互いに対して移動可能な複数の締付顎部(20)と、
- 隣接する締付顎部(20)の互いに対面する側面の1つに設けられた少なくとも1つの凹部(22)、及び
- いずれの場合も、隣接する締付顎部(20)を互いに対して弾性的に負荷する凹部(22)に挿入されたばねを、含む、コレット(10)であって、以下の特徴を有すコレット；
シール(30)は隣接する締付顎部(20)の2つの側面の間の間隙を密封し、シールは、少なくとも1つの凹部(22)に係合する締結部(32)を有し、前記締結部(32)は、前記ばねを収容する中空円筒として設計されていることを特徴とする、コレット(10)。
【請求項２】
前記締結部(32)は、ばねとして設計されていることを特徴とする請求項１に記載のコレット(10)。
【請求項３】
前記締結部(32)は、弾性円筒として設計されていることを特徴とする請求項１または２に記載のコレット(10)。
【請求項４】
シール(30)の外縁が、締付顎部(20)の側面の外形に対応することを特徴とする請求項１〜３のいずれか一に記載のコレット(10)。
【請求項５】
シール(30)が、隣接する締付顎部(20)の両側面の間のギャップを完全に埋めることを特徴とする請求項１〜４のいずれか一に記載のコレット(10)。
【請求項６】
シール(30)は、シール(30)の平面から伸びるシールリップ(34)含むことを特徴とする請求項１〜５のいずれか一に記載のコレット(10)。
【請求項７】
シールリップ(34)が、シール(30)の縁部に配置されていることを特徴とする請求項６に記載のコレット(10)。
【請求項８】
シール(30)が、締付顎部(20)間のギャップ平面に関して鏡面対称であることを特徴とする請求項１〜７のいずれか一に記載のコレット(10)。
【請求項９】
3つの締付顎部(20a、20b、20c)を特徴とする、請求項１〜８のいずれか一に記載のコレット(10)。
【国際調査報告】
2020534174.tif 000006
2020534174.tif 000007
2020534174.tif 000008
2020534174.tif 000009
2020534174.tif 000010
2020534174.tif 000011